(57)【特許請求の範囲】
【請求項１】
３相分の一次導体および二次導体を互いに並設させるとともに２相分のＣＴを絶縁樹脂で一体被覆したモールド形ＣＴと、
モールド形ＣＴ上面部の中間を窪ませて一定間隔で突起を並設して形成されたターミナル配置部と、
垂設される隔壁とネジ挿通用の孔とが交互に複数形成された絶縁樹脂製の二次ターミナルカバーと、
外部引出し線の心線挿入孔を有するとともに、二次ターミナルカバーの孔の下面であって二個の隔壁間に配置されて上面からの端子ネジにより支持される複数の四角柱状の接続金具と、
前記接続金具と変流器本体各端子部とを接続する複数の二次配線と、
を備え、二次ターミナルカバーをターミナル配置部へ取り付けるとき、隔壁が二個の突起間の溝部分に嵌め込まれて、二次ターミナルカバーの下面に隣り合う接続金具を隔壁が遮蔽するとともに、使用する二次配線が接続された接続金具を下面，隔壁および突起により接続金具の周囲４面を保持しつつ、全ての接続金具を支持することを特徴とする計器用変流器。
【請求項２】
ＣＴを絶縁樹脂で被覆したモールド形ＣＴであり、３相分の一次導体および二次導体が同一高さ位置に配置されて並設される計器用変流器を収納する計器用変流器の収納外箱であって、
上縁部にフランジが形成され、このフランジに一次導体および二次導体が嵌るような二分割構造の引き込み口が形成される下箱と、
下縁部にフランジが形成され、このフランジに一次導体および二次導体が嵌るような二分割構造の引き込み口が形成される上箱と、
を備え、
計器用変流器の３相分の一次導体および二次導体が下箱および上箱の引き込み口と同一高さ位置に配設され、一次導体および二次導体の下半分を下箱側の引込み口部分に嵌め込んだ状態の下箱に、上箱を被せることで、両者のフランジが互いに当接しつつ、一次導体および二次導体が下箱および上箱の引込み口に密着することを特徴とする計器用変流器の収納外箱。
【請求項３】
請求項２に記載された計器用変流器の収納外箱において、
請求項１に記載された計器用変流器が収納されることを特徴とする計器用変流器の収納外箱。
【発明の詳細な説明】
【０００１】
【発明の属する技術分野】
本発明は、低圧需要家の引き込み口に、電力量計測のために設置されるモールド形の計器用変流器およびそれを収納する外箱に関する。
【０００２】
【従来の技術】
従来、計器用変流器（以下ＣＴと称する）は、その二次側に取り付けられる電力量計の引込み線との接続のために二次ターミナルが設けられている。図１７〜図１９は、従来のＣＴおよび二次ターミナルを示し、図１７が正面図、図１８が平面図、図１９が右側面図である。これらの図において、１が架台、２がＣＴ、３が二次ターミナル、４が端子金具である。この二次ターミナル３は、絶縁樹脂中に端子金具４を一体成形により保持する構造が取られている。図２０は、ＣＴ２と二次ターミナル３の結線を示す結線図である。
【０００３】
また、ＣＴ２および二次ターミナル３は、現場に設置される際、外箱内に収納される。図２１〜図２３は従来の外箱を示し、図２１が正面図、図２２が平面図、図２３が内部を示す図である。図示されるように、外箱は本体５と蓋６からなり、本体５の側面を貫通して引込み口が形成されており、その引込み口を介して、引込み線７が内部のＣＴ２の導体８と接続されている。
【０００４】
【発明が解決しようとする課題】
しかしながら、ＣＴ２に関しては、二次ターミナル３に端子金具４を一体成形により設けるため、二次ターミナル３の材料となる樹脂には耐クラック性が要求される。それらを満足するためには、フェノール樹脂、ユリア樹脂、メラミン樹脂等の高価な樹脂を用いなければならずコストアップの一因になっていた。また、ＣＴ２および二次ターミナル３を外箱に収納する場合は、ＣＴ２の一次・二次導体８と引込み線７とを接続するために、外箱の本体５の側面を貫通して形成されている引込み口を通して、引込み線７を内部に引き込む必要があり、作業性が悪かった。特に、電源側は課電された状態であって、ＣＴ２の接続場所がスペース的に制約されていて、しかも一次引込み線が太くて電線被覆が硬い場合は、短絡の危険を含め、作業性、安全性に問題があった。
【０００５】
【課題を解決するための手段】
そこで上記課題を解決するために、請求項１の発明の計器用変流器は、３相分の一次導体および二次導体を互いに並設させるとともに２相分のＣＴを絶縁樹脂で一体被覆したモールド形ＣＴと、
モールド形ＣＴ上面部の中間を窪ませて一定間隔で突起を並設して形成されたターミナル配置部と、
垂設される隔壁とネジ挿通用の孔とが交互に複数形成された絶縁樹脂製の二次ターミナルカバーと、
外部引出し線の心線挿入孔を有するとともに、二次ターミナルカバーの孔の下面であって二個の隔壁間に配置されて上面からの端子ネジにより支持される複数の四角柱状の接続金具と、
前記接続金具と変流器本体各端子部とを接続する複数の二次配線と、
を備え、二次ターミナルカバーをターミナル配置部へ取り付けるとき、隔壁が二個の突起間の溝部分に嵌め込まれて、二次ターミナルカバーの下面に隣り合う接続金具を隔壁が遮蔽するとともに、使用する二次配線が接続された接続金具を下面，隔壁および突起により接続金具の周囲４面を保持しつつ、全ての接続金具を支持することを特徴とする。
【０００６】
請求項２の発明の計器用変流器の収納外箱は、ＣＴを絶縁樹脂で被覆したモールド形ＣＴであり、３相分の一次導体および二次導体が同一高さ位置に配置されて並設される計器用変流器を収納する計器用変流器の収納外箱であって、
上縁部にフランジが形成され、このフランジに一次導体および二次導体が嵌るような二分割構造の引き込み口が形成される下箱と、
下縁部にフランジが形成され、このフランジに一次導体および二次導体が嵌るような二分割構造の引き込み口が形成される上箱と、
を備え、
計器用変流器の３相分の一次導体および二次導体が下箱および上箱の引き込み口と同一高さ位置に配設され、一次導体および二次導体の下半分を下箱側の引込み口部分に嵌め込んだ状態の下箱に、上箱を被せることで、両者のフランジが互いに当接しつつ、一次導体および二次導体が下箱および上箱の引込み口に密着することを特徴とする。
【０００７】
請求項３の発明の計器用変流器の収納外箱は、請求項２に記載された計器用変流器の収納外箱において、請求項１に記載された計器用変流器が収納されることを特徴とする。
【０００８】
【発明の実施の形態】
以下、図に沿って本発明の実施形態を説明する。
図１〜図３は、本発明に係る計器用変流器の実施形態を示し、図１が正面図、図２が平面図、図３が右側面図である。図において、１１はモールド形ＣＴであり、これは２相分すなわちＵ相とＷ相のＣＴをエポキシ樹脂等の絶縁樹脂で被覆するとともに、Ｕ相〜Ｗ相の３相分の導体１２を前後に平行かつ同一高さにして突出させることにより一体化したものである。なお、導体１２は、端子Ｐ１，Ｐ２，Ｐ３用電圧引き込み配線の接続の有無により、モールド形ＣＴ１１に対してＵ相〜Ｗ相電源側３相分を一次導体、負荷側３相分を二次導体と、便宜上区別している。
また、モールド形ＣＴ１１の上部の中間部分にＵ字形の窪みを形成してターミナル配置部とし、そこを覆うように、二次ターミナルカバー１３が２本の取付けボルト１４により固定されている。
【０００９】
カバー１３の下側とＣＴ１１との間には、二次配線２６と同数の接続金具１５が支持されている。接続金具１５には端子ネジ１６により二次配線２６（図示せず）が接続される。図４、図５はモールド形ＣＴ１１単体の外観を示し、図４が正面図で図５がその平面図である。ＣＴ１１の上部のＵ字形の窪みには、一定間隔で突起１７が並設されている。この突起１７の上面は、組み立て時に接続金具１５が保持される位置となる。また、上面の１対のネジ孔１８はカバー１３を取り付けるためのものである。
【００１０】
図６〜図８は、二次ターミナルカバー１３の単体の外観を示し、図６が正面図、図７がその平面図、図８がＡ−Ａ線断面図である。図において、１９は両端部に形成された１対の取付け孔であり、その中間の下面に一定間隔で箱状の凹部２０が二次配線と同数形成され、その底部に２個ずつ透孔２１が形成されている。さらに、凹部２０と凹部２０の境界部の下方には隔壁２２が等間隔に垂設されている。この隔壁２２が組み立て時に、ＣＴ１１の上部の突起１７と突起１７との間の溝部分に嵌込まれる。
【００１１】
図９は、接続金具１５の単体の外観を示す。接続金具１５は、四角柱状の導体のブロックの中心軸部分に心線挿入用の孔２３を貫通させるとともに、側面から孔２３にかけて２本の雌ねじ２４を形成し、さらに、側面に圧着端子２５を鑞付けにより固定したものである。この圧着端子２５に、二次配線２６（図示せず）が接続される。
【００１２】
図１０〜図１２は、二次ターミナルカバーの組み立て図を示し、図１０が正面図、図１１がその平面図、図１２がＢ−Ｂ線断面図である。図において、二次ターミナルカバー１３を組み立てる場合は、予め圧着端子２５に二次配線２６を固定しておいた接続金具１５を、雌ねじ２４の面を上にして、カバー１３の下方から凹部２０に押し当てる。次いで、凹部２０の内側から、透孔２１を通して端子ネジ１６を雌ねじ２４にねじ込む。その後、設置現場等において、接続金具１５の孔２３に心線（図示せず）が挿入された状態で、端子ネジ１６をさらにねじ込むことで心線が固定される。なお、接続金具１５は、カバー１３がＣＴ１１に組付けられた状態で、その周囲４面がカバー１３とＣＴ１１に保持され、さらに長手方向は端子ネジ１６により固定される。
【００１３】
図１３は、ＣＴ１１とカバー１３の接続金具１５との間における二次配線２６の引回しの経路を示す結線図である。図示されるように、ＣＴ１１の表面各部に形成されている端子部とそれに対応する接続金具１５とが、それぞれ二次配線２６により結線される。この結線図は、図２０の結線図に対応するものである。
この実施形態では、二次ターミナルカバー１３が単体の構成となって、接続金具等がインサート成形されることがなくなったことで、使用される樹脂の種類に制限がなくなり、安価な樹脂を使用することが可能となる。
【００１４】
次に収納外箱の発明の実施形態について説明する。
図１４〜図１６は収納外箱を示し、図１４が正面図、図１５が平面図、図１６が内部を示す図である。図において、３１は収納外箱の下半分を形成する下箱であり、３２は同じく上半分を形成する上箱である。下箱３１の上縁部および上箱３２の下縁部には、それぞれフランジ３４，３５が形成され、フランジ３４，３５が互いに当接された状態で、下箱３１と上箱３２とで、ＣＴ１１を収納する収納外箱が形成される。また、フランジ３４，３５の当接するレベルは、内部に収納されるＣＴ１１の導体８のレベルと一致し、導体８の延長線上のフランジ３４，３５部分に、それぞれ引込み口３６が形成されている。なお、収納されるＣＴ１１は、複数の導体８を備えているが、それらは全て同一のレベルに配設されている。
【００１５】
当然、この引込み口３６も二分割構造となり、上箱３２を持ち上げた状態で開放される。この状態で導体８と引込み線３７を接続金具３８を介して接続し、引込み線３７の下半分を下箱３１側の引込み口３６部分に嵌め込んだ状態で、引込み線３７の接続作業を終了する。次いで、上箱３２を下箱３１に被せることで、両者のフランジ３４，３５が互いに当接して、引込み線３７の上半分も引込み口３６に覆われる。この状態で、フランジ３４，３５の四隅を上下からボルト３９とナット４０で締めつけ固定することで、上箱３２を下箱３１が一体となり、引込み線３７は引込み口３６に密着されることになる。
【００１６】
収納外箱をこのように構成したことで、従来必要であった引込み線を引込み口に挿通させる煩わしい作業から解放されることになり、作業性が著しく改善される。このことは、特に活線状態の作業のときに有効である。
なお上述した実施形態では、ＣＴ１１を収納する場合について説明したが、同様に図２１に示した従来のＣＴ２を収納する場合にも適用可能である。
【００１７】
【発明の効果】
以上述べたように請求項１の発明によれば、接続金具をターミナルとの一体成形ではなく単体としたことで、それを支持するターミナルカバーには耐クラック性が要求されなくなる。その結果、高価な絶縁樹脂が不要となりその分のコストダウンが可能となる。
【００１８】
請求項２および３の発明によれば、収納外箱を引込み線の挿通されるレベルでの二分割構造としたことで、硬くて太い引込み線を曲げてパイプ状の貫通孔に通すことが不要となり短絡の危険が減少し、それにともない、作業スペースの狭い現場においても作業性、安全性が向上する。
【図面の簡単な説明】
【図１】本発明に係る計器用変流器の実施形態を示す正面図である。
【図２】図１の平面図である。
【図３】図１の右側面図である。
【図４】図１のモールド形ＣＴ単体の外観を示す正面図である。
【図５】図４の平面図である。
【図６】図１の二次ターミナルカバーの単体を示す正面図である。
【図７】図６の平面図である。
【図８】図７のＡ−Ａ線断面図である。
【図９】図１の接続金具の単体の外観図である。
【図１０】図１の二次ターミナルカバーの組み立て状態を示す正面図である。
【図１１】図１０の平面図である。
【図１２】図１１のＢ−Ｂ線断面図である。
【図１３】ＣＴと二次ターミナルカバーと間の二次配線を示す結線図である。
【図１４】本発明に係る収納外箱の実施形態を示す正面図である。
【図１５】図１４の平面図である。
【図１６】図１５から上箱を除いた状態を示す図である。
【図１７】従来の計器用変流器を示す正面図である。
【図１８】図１７の平面図である。
【図１９】図１７の側面図である。
【図２０】図１７のＣＴと二次ターミナルの結線を示す結線図である。
【図２１】従来の計器用変流器が収納される外箱の正面図である。
【図２２】図２１の平面図である。
【図２３】図２２の内部を示す図である。
【符号の説明】
１１  モールド形ＣＴ
１２  導体
１３  二次ターミナルカバー
１４  取付けボルト
１５  接続金具
１６  端子ネジ
１７  突起
１８  ネジ孔
１９  取付け孔
２０  凹部
２１  透孔
２２  隔壁
２３  孔
２４  雌ねじ
２５  圧着端子
２６  二次配線
３１  下箱
３２  上箱
３４，３５  フランジ
３６  引込み口
３７  引込み線
３８  接続金具
３９  ボルト
４０  ナット
【図１】
0003541933.tif 000002
【図２】
0003541933.tif 000003
【図３】
0003541933.tif 000004
【図４】
0003541933.tif 000005
【図５】
0003541933.tif 000006
【図６】
0003541933.tif 000007
【図７】
0003541933.tif 000008
【図８】
0003541933.tif 000009
【図９】
0003541933.tif 000010
【図１０】
0003541933.tif 000011
【図１１】
0003541933.tif 000012
【図１２】
0003541933.tif 000013
【図１３】
0003541933.tif 000014
【図１４】
0003541933.tif 000015
【図１５】
0003541933.tif 000016
【図１６】
0003541933.tif 000017
【図１７】
0003541933.tif 000018
【図１８】
0003541933.tif 000019
【図１９】
0003541933.tif 000020
【図２０】
0003541933.tif 000021
【図２１】
0003541933.tif 000022
【図２２】
0003541933.tif 000023
【図２３】
0003541933.tif 000024